(57)【特許請求の範囲】
【請求項１】
アンテナと、
前記アンテナを支持する基台と、
前記アンテナおよび前記基台の全体を覆うレドームと、
設置場所に固定され、前記基台が取り付けられる取り付け板と、を備え、
前記取り付け板は、設置場所に固定される脚部と、前記基台が取り付けられる取り付け面とを備え、当該取り付け面には、当該設置場所に固定された状態で当該取り付け面から立ち上がるように取り付け用ボルトが装着され、
前記レドームの前記取り付け板側面に前記取り付け用ボルトが貫通するボルト貫通孔が設けられ、
前記基台は、前記レドームのボルト貫通孔を貫通した前記取り付け用ボルトにより位置決めされ、当該取り付け用ボルトに対してナットを締め付けることにより当該レドームを挟むようにして前記取り付け板に取り付けられることを特徴とする、電波探知装置。
【請求項２】
前記取り付け板の前記取り付け面には、
前記取り付け板を前記設置場所に固定した状態で前記取り付け用ボルトを挿入可能な挿入孔と、
前記レドームの前記ボルト貫通孔に対応すると共に前記基台を位置決めして固定する位置に前記取り付け用ボルトを配置可能な固定孔と、
前記挿入孔に挿入された前記取り付け用ボルトを前記固定孔まで移動可能な誘導路と、
が設けられていることを特徴とする、請求項１に記載の電波探知装置。
【請求項３】
前記取り付け板の前記固定孔には、前記取り付け用ボルトを配置した状態で当該取り付け用ボルトを押さえる押さえ片が設けられていることを特徴とする、請求項２に記載の電波探知装置。
【請求項４】
前記取り付け用ボルトは、頭の裏側のねじ部の付け根に回り止め部を有する角根丸頭ボルトであり、
前記取り付け板の前記挿入孔は、前記角根丸頭ボルトの頭が通る径を有し、
前記取り付け板の前記誘導路は、前記角根丸頭ボルトの頭が通らず、前記回り止め部が通る幅を有し、
前記取り付け板の前記固定孔は、前記回り止め部が回らない形状を有することを特徴とする、請求項２に記載の電波探知装置。
【請求項５】
前記取り付け用ボルトにより前記基台を固定する固定具をさらに備え、
前記基台の前記取り付け板に取り付けられる側にフランジが設けられ、
前記固定具は、前記取り付け用ボルトが通る貫通孔と、前記フランジに掛かる鉤部とを有し、
前記固定具の前記貫通孔に前記取り付け用ボルトを通してナットを締め付けることにより、前記鉤部が前記フランジを押さえて固定することを特徴とする、請求項１に記載の電波探知装置。
【請求項６】
前記フランジは、円形の輪郭を有することを特徴とする、請求項５に記載の電波探知装置。
【請求項７】
前記基台は、前記アンテナの向きの基準となる方向を示す基準方向が設定されていることを特徴とする、請求項６に記載の電波探知装置。
【請求項８】
前記レドームは、
前記基台と共に前記取り付け板に取り付けられる受け部と、
前記受け部および前記基台が前記取り付け板に取り付けられた状態で当該受け部に結合され、前記アンテナを覆う覆い部と、
を備えることを特徴とする、請求項１に記載の電波探知装置。
【発明の詳細な説明】
【技術分野】
【０００１】
本発明は、電波探知装置に関する。
【背景技術】
【０００２】
指向性アンテナを用いて電波源の探索が行われる場合がある。例えば、複数の位置で同一の電波源を探知し、電波源を探知した位置と各位置から見た電波源の方向とに基づいて電波源の位置を特定することができる。
【０００３】
特許文献１には、電波の到来方向と電波諸元とを、方位角と仰角の制御が可能な線状ビームアンテナにより測定する測定受信機を備えた電波方向探知装置が開示されている。
【先行技術文献】
【特許文献】
【０００４】
【特許文献１】特開２００２−２６７７４２号公報
【発明の概要】
【発明が解決しようとする課題】
【０００５】
風雨等からアンテナを保護するために、アンテナや装置全体をレドームで覆うことが行われる。しかし、電波の透過性を確保するためには、材料や厚さの点でレドームを頑強に構成することが難しい。また、複数の位置で電波源を探索するためにアンテナを移動させる場合、装置全体を軽量に構成することが望ましい。この点からも、レドームを頑強に構成することには限界がある。
【０００６】
本発明は、電波探知装置の設置において、レドームに掛かる物理的な負荷を軽減する設置構造を実現することを目的とする。
【課題を解決するための手段】
【０００７】
上記の目的を達成する本発明は、アンテナと、このアンテナを支持する基台と、アンテナおよび基台の全体を覆うレドームと、設置場所に固定され、基台が取り付けられる取り付け板と、を備える電波探知装置である。取り付け板は、設置場所に固定される脚部と、基台が取り付けられる取り付け面とを備え、この取り付け面には、設置場所に固定された状態でこの取り付け面から立ち上がるように取り付け用ボルトが装着される。また、レドームの取り付け板側面に取り付け用ボルトが貫通するボルト貫通孔が設けられる。また、基台は、レドームのボルト貫通孔を貫通した取り付け用ボルトにより位置決めされ、この取り付け用ボルトに対してナットを締め付けることによりレドームを挟むようにして取り付け板に取り付けられる。
より詳細には、取り付け板の取り付け面には、取り付け板を設置場所に固定した状態で取り付け用ボルトを挿入可能な挿入孔と、レドームのボルト貫通孔に対応すると共に基台を位置決めして固定する位置に取り付け用ボルトを配置可能な固定孔と、挿入孔に挿入された取り付け用ボルトを固定孔まで移動可能な誘導路と、が設けられている。
また、より好ましくは、取り付け板の固定孔には、取り付け用ボルトを配置した状態でこの取り付け用ボルトを押さえる押さえ片が設けられている。
また、より詳細には、取り付け用ボルトは、頭の裏側のねじ部の付け根に回り止め部を有する角根丸頭ボルトであり、取り付け板の挿入孔は、角根丸頭ボルトの頭が通る径を有し、取り付け板の誘導路は、角根丸頭ボルトの頭が通らず、回り止め部が通る幅を有し、取り付け板の固定孔は、回り止め部が回らない形状を有する。
また、より好ましくは、取り付け用ボルトにより基台を固定する固定具をさらに備え、基台の取り付け板に取り付けられる側にフランジが設けられる。固定具は、取り付け用ボルトが通る貫通孔と、フランジに掛かる鉤部とを有する。そして、固定具の貫通孔に取り付け用ボルトを通してナットを締め付けることにより、鉤部がフランジを押さえて固定する。
さらに好ましくは、フランジは、円形の輪郭を有する。
また、より好ましくは、基台は、アンテナの向きの基準となる方向を示す基準方向が設定されている。
さらに詳細には、レドームは、基台と共に取り付け板に取り付けられる受け部と、受け部および基台が取り付け板に取り付けられた状態で受け部に結合され、アンテナを覆う覆い部と、を備える。
【発明の効果】
【０００８】
本発明によれば、電波探知装置の設置において、レドームに掛かる物理的な負荷を軽減することができる。
【図面の簡単な説明】
【０００９】
【図１】本実施形態による電波探知装置の外観を示す図である。
【図２】本実施形態による電波探知装置の主要な部品が分解された状態を示す図である。
【図３】取り付け板に対する台座およびレドーム下部の取り付け構造を示す図である。
【図４】取り付け用ボルトの構成例を示す図である。
【図５】取り付け板の構成を示す図である。
【図６】取り付け板に対する取り付け用ボルトの装着方法を示す図であり、図６（Ａ）は、挿入孔に取り付け用ボルトの頭部を通す様子を示す図であり、図６（Ｂ）は、誘導路にしたがって取り付け用ボルトを移動する様子を示す図であり、図６（Ｃ）は、固定孔に取り付け用ボルトを配置した様子を示す図である。
【図７】固定孔に設けられた押さえ片の構造を示す図である。
【図８】取り付け板の変形例を示す図である。
【図９】取り付け板の他の変形例を示す図である。
【図１０】固定具の構成を示す図である。
【図１１】基台の方向合わせの方法を示す図であり、図１１（Ａ）は、基台の基準方向と電波源の探索における基準方位とがずれている状態を示す図であり、図１１（Ｂ）は、基台の基準方向を電波源の探索における基準方位に合わせた状態を示す図である。
【発明を実施するための形態】
【００１０】
以下、添付図面を参照して、本発明の実施の形態について詳細に説明する。
＜装置構成＞
図１は、本実施形態による電波探知装置の外観を示す図である。図２は、本実施形態による電波探知装置の主要な部品が分解された状態を示す図である。電波探知装置１は、アンテナ１０と、基台２０と、レドーム８０とを備える。電波探知装置１は、取り付け板９０により、設置場所に固定される。基台２０およびレドーム８０は、取り付け用ボルト１００および固定具１１０を用いて取り付け板９０に取り付けられる。電波探知装置１は移動しながら使用されることが想定されており、設置場所としては、移動手段である自動車に設けられた設置台（図示せず）や台車の荷台（図示せず）を例示することができる。
【００１１】
アンテナ１０は、特定の方向に強い感度を示す指向性アンテナであり、電波源の探知に用いられる。一例として、図２に示す例では、アンテナ１０として平面アンテナ（フラットアンテナ）が用いられている。例えば、第５世代移動通信システム（５Ｇ）などの基地局を設置するため、同システムと使用周波数帯が重なる電波源を探索する場合、同システムで用いられる周波数帯である準ミリ波帯やミリ波帯の電波を受信可能なアンテナ１０が用いられる。
【００１２】
基台２０は、アンテナ１０を支持する支持部材である。基台２０は、アンテナ１０の向きを動的に制御する駆動機構３０を備えている。駆動機構３０は、例えば、２軸回転機構であり、各軸の周りに回転駆動することで、アンテナ１０を左右および上下に振り、３次元空間の様々な方向へ向けることができる。基台２０の内部には、駆動機構３０を動作させるためのモータ（図示せず）が組み込まれている。
【００１３】
基台２０の下端には、基台２０を取り付け板９０に取り付けるのに用いられる台座２１が設けられている。台座２１は、基台２０の外周よりも外側へ張り出す板状部材であり、基台２０に取り付けられた状態でフランジを構成する。台座２１は、例えば、円形の輪郭を有し、基台２０の周囲の何れの方向へも同程度張り出すように設けられる。台座２１は、例えばアルミニウム等の金属で形成される。台座２１は、取り付け用ボルト１００と固定具１１０とを用いて取り付け板９０に取り付けられる。台座２１の取り付け構造の詳細については後述する。
【００１４】
レドーム８０は、アンテナ１０および基台２０を覆うドームであり、レドーム下部８１とレドーム上部８２とで構成される。レドーム下部８１は、基台２０の下部を覆う。レドーム下部８１は、受け部の一例である。レドーム下部８１は、例えば厚さ３ｍｍ程度の樹脂で形成される。レドーム下部８１は、下面に取り付け用ボルト１００を通す貫通孔を有する。そして、この貫通孔を通った取り付け用ボルト１００を用いて基台２０の台座２１が取り付けられると、台座２１に挟み付けられることにより、レドーム下部８１が取り付け板９０に固定される。レドーム下部８１の取り付け構造の詳細については後述する。
【００１５】
レドーム上部８２は、アンテナ１０および基台２０の上部を覆う。レドーム上部８２は、覆い部の一例である。レドーム上部８２は、例えば厚さ１〜２ｍｍ程度の樹脂で形成される。レドーム下部８１および基台２０が取り付け板９０に取り付けられた状態で、レドーム上部８２がレドーム下部８１に被せられることにより、アンテナ１０および基台２０の全体がレドーム８０の内部に収まる。レドーム上部８２の縁は、レドーム下部８１の縁の外側に重なり、樹脂製のねじ等で固定される。レドーム上部８２の縁をレドーム下部８１の縁の外側に重ねることにより、レドーム８０の内部への雨滴等の侵入を防ぐことができる。
【００１６】
取り付け板９０は、レドーム下部８１および基台２０の台座２１が取り付けられる取り付け面９１と、設置場所に固定される脚部９６とを備える。脚部９６は、取り付け板９０の縁を、レドーム８０および基台２０を取り付ける側とは反対側に折り曲げて形成されている。これにより、脚部９６をボルト等で設置場所に固定すると、取り付け面９１の裏面（取り付け板９０を設置場所に固定した状態で設置場所と向き合う側の面）と設置場所の表面との間に隙間が生じる。取り付け板９０は、例えばステンレスや鉄等の板金を折り曲げて形成される。取り付け面９１には、取り付け用ボルト１００を装着するための孔が設けられている。取り付け板９０の構成および取り付け板９０に対する取り付け用ボルト１００の装着方法の詳細については後述する。
【００１７】
＜台座２１およびレドーム下部８１の取り付け構造＞
図３は、取り付け板９０に対する台座２１およびレドーム下部８１の取り付け構造を示す図である。図３は、電波探知装置１の下部を拡大した図であり、レドーム下部８１の一部（図において手前側）を破断して、取り付け板９０に取り付けられた台座２１を視認できるようにした図である。
【００１８】
図３に示すように、取り付け板９０には、取り付け用ボルト１００が装着され、この取り付け用ボルト１００にレドーム下部８１の貫通孔が嵌め合わされる。そして、レドーム下部８１の上から基台２０が置かれ、固定具１１０により台座２１を押さえた状態で取り付け用ボルト１００にナットが締め付けられる。これにより、台座２１およびレドーム下部８１が取り付け板９０に固定される。図３には、３組の取り付け用ボルト１００および固定具１１０が示されているが、同図の構成例では、基台２０に隠れたもう一組の取り付け用ボルト１００および固定具１１０が存在し、４か所で台座２１を固定している（図２参照）。図３に示す構成例では、レドーム下部８１と異なり、台座２１には取り付け用ボルト１００が通る孔が開けられておらず、台座２１は４本の取り付け用ボルト１００の間に配置される。そして、ナットで締め付けられた固定具１１０と台座２１の上側面および側面との間の摩擦力によって台座２１が固定される。
【００１９】
本実施形態では、上記のように、取り付け用ボルト１００および固定具１１０を用いて台座２１を取り付け板９０に取り付けると共に、取り付け用ボルト１００を貫通孔に通して位置決めされたレドーム下部８１を、取り付け板９０と台座２１とで挟んで固定する。このような構造により、設置場所に電波探知装置１が設置された状態において、レドーム下部８１にはレドーム８０自体の重量以外の物理的負荷は掛かっておらず、レドームが内部の装置等を支える構造と比較して、レドーム８０に掛かる負荷が軽減されている。
【００２０】
図４は、取り付け用ボルト１００の構成例を示す図である。取り付け用ボルト１００は、ねじ部１０１と頭部１０２とを備え、頭部１０２の裏側のねじ部１０１の付け根に回り止め部１０３を有する。一例として、取り付け用ボルト１００として角根丸頭ボルトを用いることができる。ねじ部１０１は、取り付け板９０に装着された状態で、レドーム下部８１および固定具１１０を通り、ナットを締めるのに十分な長さを有する。ねじ部１０１の太さは、電波探知装置１の大きさ等により選択可能であり、例えばＭ１０（外径１０ｍｍ）程度である。頭部１０２は、取り付け板９０が設置場所に固定された状態で、脚部９６により確保される取り付け板９０と設置場所表面との間の隙間に収まる高さであれば良く、頭部１０２の形状自体は特に限定されない。回り止め部１０３は、断面が多角形（例えば四角形）に形成されている。取り付け用ボルト１００に対してナットを締める際に、回り止め部１０３の角が孔の側面に当たって取り付け用ボルト１００自体の回転を制限される。これにより、取り付け用ボルト１００を別途固定することなく、ねじ部１０１側からナットを回転させるだけで、取り付け用ボルト１００にナットを締め付けることができる。
【００２１】
＜取り付け板９０の構成および取り付け用ボルト１００の装着方法＞
図５は、取り付け板９０の構成を示す図である。取り付け板９０の取り付け面９１には、取り付け用ボルト１００を装着するための挿入孔９２、誘導路９３、固定孔９４が設けられている。挿入孔９２は、取り付け用ボルト１００の頭部１０２が通る径を有する孔である。誘導路９３は、取り付け用ボルト１００の頭部１０２は通らず、回り止め部１０３やねじ部１０１がスライド可能な幅の溝孔である。固定孔９４は、取り付け用ボルト１００の回り止め部１０３が回らない形状および大きさの穴である。固定孔９４は、固定具１１０を用いて台座２１を固定可能な位置に設けられる。また、固定孔９４の位置と、レドーム下部８１の取り付け用ボルト１００が通る貫通孔の位置とは対応している。
【００２２】
図５に示す構成例において、挿入孔９２は、略四角形の取り付け板９０の対向する２辺の中ほどにそれぞれ設けられている。誘導路９３は、取り付け板９０の各挿入孔９２が設けられた辺に沿って設けられている。固定孔９４は、取り付け板９０の四隅であって、誘導路９３の両端に設けられている。挿入孔９２、誘導路９３および固定孔９４は、取り付け用ボルト１００を挿入孔９２から挿入して固定孔９４に配置するための連続した孔である。すなわち、図５に示す構成例では、１つの挿入孔９２と、その挿入孔９２から取り付け板９０の辺に沿って伸びる２本の誘導路９３と、各誘導路９３の端部に設けられた２つの固定孔９４との組が対向する２辺に沿って２組設けられている。
【００２３】
図６は、取り付け板９０に対する取り付け用ボルト１００の装着方法を示す図である。図６（Ａ）は、挿入孔９２に取り付け用ボルト１００の頭部１０２を通す様子を示し、図６（Ｂ）は、誘導路９３にしたがって取り付け用ボルト１００を移動する様子を示し、図６（Ｃ）は、固定孔９４に取り付け用ボルト１００を配置した様子を示す。図６（Ａ）〜図６（Ｃ）において、取り付け板９０は、既に設置場所に固定されているものとする。
【００２４】
取り付け板９０に対する取り付け用ボルト１００の取り付け手順を説明する。まず、図６（Ａ）の矢印に示すように、挿入孔９２から取り付け板９０と設置場所表面との隙間へ取り付け用ボルト１００の頭部１０２を挿入する。そして、図６（Ｂ）の矢印に示すように、誘導路９３に沿って取り付け用ボルト１００を移動させ、図６（Ｃ）に示すように、固定孔９４に取り付け用ボルト１００を配置する。なお、図６（Ｃ）には示していないが、固定孔９４の裏側（取り付け板９０を設置場所に固定した状態で設置場所と向き合う側）には、取り付け用ボルト１００を押さえる押さえ片が設けられている。これにより、取り付け板９０が設置場所に固定された状態で、取り付け面９１から立ち上がるように取り付け用ボルト１００が装着される。
【００２５】
図７は、固定孔９４に設けられた押さえ片の構造を示す図である。図７には、固定孔９４の位置の取り付け板９０の断面が示されている。なお、図７において、取り付け面９１から設置場所表面Ｓへ向かう方向を「下方」、「下側」等と呼ぶ。
【００２６】
図７に示すように、押さえ片９５は、固定孔９４の縁の一部（図示の例では誘導路９３の反対側）から、下方（設置場所表面Ｓに近づく方向）へ立ち上がり、固定孔９４の下側に張り出すように設けられる。これにより、固定孔９４に配置された取り付け用ボルト１００は、頭部１０２が押さえ片９５に当たるため、それ以上落下することはない。押さえ片９５の立ち上がりは、取り付け用ボルト１００が押さえ片９５に押さえられた状態で、回り止め部１０３が固定孔９４から脱落しない程度である。なお、取り付け板９０と設置場所表面Ｓとの間の隙間の高さｇが、取り付け用ボルト１００の頭部１０２の高さｈおよび回り止め部１０３の厚さｔの合計よりも短ければ、取り付け用ボルト１００が落下しても頭部１０２が設置場所表面Ｓに当たるため、回り止め部１０３が固定孔９４から脱落しない。この場合、押さえ片９５は必須の構成要素ではない。
【００２７】
＜取り付け板９０の変形例＞
図８は、取り付け板９０の変形例を示す図である。図８に示す変形例では、略四角形の取り付け板９０の四隅に、挿入孔９２、誘導路９３および固定孔９４の組がそれぞれ設けられている。図８に示す構成では、挿入孔９２の近傍に固定孔９４が設けられているため、誘導路９３の長さを短くすることができる。極端な場合、誘導路９３を設けず、挿入孔９２から固定孔９４に直接つながるように構成しても良い。この図８に示す構成によれば、図５に示した構成のように取り付け板９０の一辺にわたるような長い切れ目が取り付け板９０に形成されない。このため、図８に示す取り付け板９０は、図５に示した構成と比較して、曲げや撓みに対する強度が低下し難い。
【００２８】
図９は、取り付け板９０の他の変形例を示す図である。図９に示す変形例では、略四角形の取り付け板９０の略中央に一つの挿入孔９２が設けられている。そして、この挿入孔９２から取り付け板９０の四隅へ向けて４本の誘導路９３が伸び、各誘導路９３の端部（取り付け板９０の四隅）に固定孔９４がそれぞれ設けられている。ここで、誘導路９３と固定孔９４との関係について考えると、誘導路９３の幅が、取り付け用ボルト１００の回り止め部１０３が回らない程度の幅である場合、固定孔９４と同様に取り付け用ボルト１００を別途固定することなく、ナットを締め付けることができる。また、上述したように取り付け板９０と設置場所表面との間の隙間が十分に狭い場合、押さえ片９５が無くても取り付け用ボルト１００の回り止め部１０３は固定孔９４から脱落せず、同様に誘導路９３からも脱落しない。したがって、かかる条件を満たせば、誘導路９３の途中の位置を固定孔９４として用いることができる。これにより、図９に示す構成では、例えば、台座２１およびレドーム８０のサイズに応じて取り付け用ボルト１００の装着位置（固定孔９４の位置）を変更し得る柔軟な取り付け構造を実現し得る。
【００２９】
＜固定具１１０の構成＞
図１０は、固定具１１０の構成を示す図である。固定具１１０は、取り付け用ボルト１００を通す貫通孔１１１と、取り付け用ボルト１００に取り付けられた状態で基台２０の台座２１に掛かる鉤部１１２とを有する。図１０に示すように、貫通孔１１１に取り付け用ボルト１００を通し、鉤部１１２を台座２１へ向けた状態でナット１１３を締めることにより、鉤部１１２と台座２１の接触面との間の摩擦力で台座２１が固定される。固定具１１０は、例えばステンレスやアルミニウム等の金属で形成される。
【００３０】
図２、図３等に示したように、台座２１が円形である場合、各取り付け用ボルト１００のナット１１３を緩めると、鉤部１１２と台座２１との間の摩擦力が弱まるため、各固定具１１０の間に位置決めしたままで台座２１を回転させることができる。ここで、台座２１を回転させることにより、アンテナ１０の向きを特定する際の基準方向を調整することができる。アンテナ１０の向きの基準方向の調整について、以下に説明する。
【００３１】
電波探知装置１において、探知した電波源の位置を特定するためにアンテナ１０の向きを特定したい場合を考える。一例として、基台２０に対するアンテナ１０の初期状態を決めておき、この初期状態に対するアンテナ１０の向きのずれを判定する方法が考えられる。この方法において、基台２０の向きを調整して、初期状態におけるアンテナ１０の向きが電波源の探索における基準方位に向くようにしても良い。電波源の探索における基準方位とは、電波探知装置１から見た電波源の方向を特定するための基準となる方位であり、例えば真北が基準方位として用いられる。
【００３２】
図１１は、基台２０の方向合わせの方法を示す図である。図１１（Ａ）は、基台２０の基準方向と電波源の探索における基準方位とがずれている状態を示し、図１１（Ｂ）は、基台２０の基準方向を電波源の探索における基準方位に合わせた状態を示す。図１１（Ａ）、（Ｂ）は、アンテナ１０やレドーム８０を省略し、基台２０、台座２１および固定具１１０を上方から見た様子を示している。また、基台２０は簡略化し、円柱としている（図では、平面なので円）として描いている。図１１（Ａ）、（Ｂ）に示す例において、台座２１には、基台２０の基準方向を示す印２２が付されている。電波源の探索における基準方位は、例えば、地磁気を用いて方位の測定を行う電子コンパス等の方位測定器により測定することができる。
【００３３】
図１１（Ａ）に示す例のように、基台２０の基準方向（印２２が指す方向）が電波源の探索における基準方位（白抜きの矢印方向）からずれている場合と、図１１（Ｂ）に示す例のように、基台２０の基準方向（印２２が指す方向）と電波源の探索における基準方位（白抜きの矢印方向）とが一致している場合について、それぞれ電波源の方向を特定する手順を考える。図１１（Ａ）に示す例では、電波探知装置１から見た電波源の方向を特定するには、基準方位と基台２０の基準方向との間の角度と、基台２０の基準方向に対するアンテナ１０の向きとをそれぞれ求め、足し合わせる必要がある。これに対し、図１１（Ｂ）に示す例では、基準方位に対する電波源の方向のずれは、基台２０の基準方向に対するアンテナ１０の向きと等しくなる。このため、電波源の方向の特定作業に要する負荷を軽減することができる。
【００３４】
以上、本発明の実施形態について説明したが、本発明の技術的範囲は上記実施形態には限定されない。例えば、上記の実施形態では、台座２１の輪郭形状を円形としたが、円形以外の形状（例えば、四角形）としても良い。ただし、この場合は、台座２１において固定具１１０を当てる位置が限定されてしまうため、図１１を参照して説明したように固定具１１０を緩めて基台２０を回転させることはできない。また、上記の実施形態では、固定具１１０と台座２１との間の摩擦力によって台座２１を固定したが、固定具１１０と台座２１の表面とに相互に噛み合う凹凸を形成し、この凹凸を噛み合わせてナットを締め付け、台座２１を固定する構成としても良い。また、上記の実施形態では、固定具１１０を用いて台座２１を取り付け板９０に取り付けたが、台座２１に取り付け用ボルト１００が通る貫通孔を設け、この貫通孔を通した取り付け用ボルト１００にナットを締め付けて、台座２１を取り付け板９０に直接取り付ける構成としても良い。さらに、上記の実施形態では、基台２０とは別に作成された台座２１を基台２０に取り付ける構成としたが、固定具１１０や取り付け用ボルト１００を用いて基台２０を取り付け板９０に取り付けるためのフランジが構成されれば良く、かかるフランジを基台２０に一体に形成する構成としても良い。その他、本発明の技術思想の範囲から逸脱しない様々な変更や構成の代替は、本発明に含まれる。
【符号の説明】
【００３５】
１…電波探知装置、１０…アンテナ、２０…基台、２１…台座、８０…レドーム、８１…レドーム下部、８２…レドーム上部、９０…取り付け板、９１…取り付け面、９２…挿入孔、９３…誘導路、９４…固定孔、９５…押さえ片、９６…脚部、１００…取り付け用ボルト、１１０…固定具
【要約】      （修正有）【課題】電波探知装置の設置において、レドームに掛かる物理的な負荷を軽減する設置構造を実現する。【解決手段】電波探知装置１は、アンテナ１０および基台２０を覆うレドーム８１，８２と、設置場所に固定され、基台２０が取り付けられる取り付け板９０とを備える。取り付け板９０は、基台２０が取り付けられる取り付け面９１を備え、この取り付け面９１には、設置場所に固定された状態でこの取り付け面９１から立ち上がるように取り付け用ボルト１００が装着される。また、レドーム８１，８２の取り付け板９０側の面に取り付け用ボルト１００が貫通するボルト貫通孔が設けられる。また、基台２０は、レドーム８１，８２のボルト貫通孔を貫通した取り付け用ボルト１００により位置決めされ、この取り付け用ボルト１００に対してナットを締め付けることによりレドーム８１，８２を挟むようにして取り付け板９０に取り付けられる。【選択図】図２【図１】
0006918376.tif 000002
【図２】
0006918376.tif 000003
【図３】
0006918376.tif 000004
【図４】
0006918376.tif 000005
【図５】
0006918376.tif 000006
【図６】
0006918376.tif 000007
【図７】
0006918376.tif 000008
【図８】
0006918376.tif 000009
【図９】
0006918376.tif 000010
【図１０】
0006918376.tif 000011
【図１１】
0006918376.tif 000012